(57)【要約】      （修正有）【課題】火災時に、枠が変形した場合であっても、枠体と障子の框体との間を閉塞して、室内外の連通を防止する建具を提供する。【解決手段】対向する枠材１３と框材２３のいずれか一方に、長手方向に金属製の遮へい板６が配置されており、金属製の遮へい板６は、一方に対して長手方向に固定されているとともに、一方に対する固定部６２以外の非固定部６１において、枠材１３もしくは框材２３の他方に対して対向するように配置されており、遮へい板６の他方に対する対向部６１において、遮へい板６が固定される一方と遮へい板６の間に加熱発泡材ｆ３が配置されている。【選択図】図６
2020063652.tif 000002
【特許請求の範囲】
【請求項１】
対向する枠材と框材のいずれか一方に、長手方向に金属製の遮へい板が配置されており、
金属製の遮へい板は、一方に対して長手方向に固定されているとともに、一方に対する固定部以外の非固定部において、枠材もしくは框材の他方に対して対向するように配置されており、遮へい板の他方に対する対向部において、遮へい板が固定される一方と遮へい板の間に加熱発泡材が配置されている防火建具。
【発明の詳細な説明】
【技術分野】
【０００１】
本発明は、火災時に、枠体の竪枠と障子の竪框との間において室内外の連通を防止する防火建具に関する。
【背景技術】
【０００２】
枠体の内周に障子を配置した建具において、枠体の竪枠と障子の竪框との間に加熱発泡材を配置して、火災時に、室内外の連通を防止する建具が知られている。
【先行技術文献】
【特許文献】
【０００３】
【特許文献１】特開２０１４−７７２７６号公報
【発明の概要】
【発明が解決しようとする課題】
【０００４】
上記特許文献１に記載された建具は、障子の框と対向する枠に加熱発泡材を配置して、火災時に加熱発泡材が框に向かって発泡して障子と枠との間を塞ぐことで、室内外の連通を防止している。
しかし、火災時には、枠や框が熱等によって変形することがあり、枠が大きく変形した部位においては、加熱発泡材が発泡しても框体に到達しない可能性があった。また、框体に必ず到達させようとすると、加熱発泡材を余分に配置する必要があり、経済的にも好ましくなかった。
【０００５】
本発明は、上記の事情を鑑みてなされたものであり、火災時に、枠や框が変形した場合であっても、枠体と障子の框体との間を閉塞して、室内外の連通を防止することを目的とする。
【課題を解決するための手段】
【０００６】
本発明の一実施形態は、対向する枠材と框材のいずれか一方に、長手方向に金属製の遮へい板が配置されており、金属製の遮へい板は、一方に対して長手方向に固定されているとともに、一方に対する固定部以外の非固定部において、枠材もしくは框材の他方に対して対向するように配置されており、遮へい板の他方に対する対向部において、遮へい板が固定される一方と遮へい板の間に加熱発泡材が配置されている防火建具である。
【発明の効果】
【０００７】
本発明の一実施形態のサッシの構成により、火災時に、枠や框が変形した場合であっても、枠体と障子の框体との間を閉塞することができ、防火性能を向上することができる。
【図面の簡単な説明】
【０００８】
【図１】本発明の実施形態に係る防火建具の内観図である。
【図２】本発明の第１の実施形態に係る防火建具の竪断面図である。
【図３】本発明の第１の実施形態に係る防火建具の左側横断面図である。
【図４】本発明の第１の実施形態に係る防火建具の補強部材の図である。
【図５】本発明の第１の実施形態に係る防火建具の竪枠部分の図である。
【図６】本発明の第１の実施形態に係る防火建具の下枠部分の竪断面図である。
【図７】本発明の第２の実施形態に係る防火建具の竪断面図である。
【図８】本発明の第２の実施形態に係る防火建具の左側横断面図である。
【図９】（ａ）は、本発明の第２の実施形態に係る防火建具の左側横断面図であり、（ｂ）は、その一部省略図であり、（ｃ）は、補強部材の図である。
【図１０】本発明の他の実施形態に係る防火建具の左側横断面図である。
【発明を実施するための形態】
【０００９】
本発明の実施形態について、竪枠と竪框との間にダンパーを配置してなる外倒し窓の例を用い、図面を参考にして説明する。
（全体の構成）
本発明の実施形態の外倒し窓は、図１に示すように、建物の躯体開口部に配置される枠体１と、枠体１に対して下辺を軸にして上辺が外側へ開放するように支持される障子２とを備える外倒し窓として構成されている。
【００１０】
枠体１は、上枠１１、下枠１２及び左、右の竪枠１３，１３を四周組して形成されている。
一方、障子２は、上框２１、下框２２及び左、右の竪框２３，２３を四周組みし、内周にガラス等のパネル体を配置して形成されており、下框２２がヒンジ５２により枠体１の下枠１２に支持されることで外倒し自在に取り付けられている。
左、右の竪枠１３，１３と左、右の竪框２３，２３との間には、ダンパー８，８が配置されており、障子２の開閉時の動きを緩衝している。
【００１１】
−第１の実施形態−
（上枠及び上框）
本実施形態の枠体１を構成する上枠１１は、アルミニウム合金等の金属材料からなり、図２に示すように、躯体開口部に対して取付金具を介して取り付けられる上枠本体部１１１と、上枠本体部１１１の室内側内周面より内周方向（下方）に延設される戸当り部（室内側壁部）１１２を有している。
上枠本体部１１１の室外側内周面（下面）に加熱により発泡する加熱発泡材ｆ１１がホルダーによって保持されており、加熱発泡材ｆ１１の室外側に障子２の上框の室外側上端に向かって気密材が配置されている。
なお、加熱発泡材ｆ１１は、無くてもよい。
【００１２】
また、戸当り部１１２の室外側面に加熱により発泡する加熱発泡材ｆ１２がホルダーによって保持されており、加熱発泡材ｆ１２の内周側（下側）に障子２の上框の室内側面に向かって気密材が配置されている。
【００１３】
一方、障子２を構成する上框２１は、アルミニウム合金等の金属材料からなり、中空部を有する上框本体部２１１と、上框本体部２１１の室外側外周面から外周方向に延設された室外側壁部２１２を有しており、上框本体部２１１の内周側にガラス間口２１１ａが設けられている。
上枠１１の上枠本体部１１１の内周面と上框２１の上框本体部２１１の外周面との間に、障子２の開閉動作を行う開閉機構５１が配置されており、リモコン等によって障子２の開閉動作を行うようことができる。なお、開閉機構５１は、なくてもよい。
上框２１のガラス間口２１１ａ内には、加熱発泡材ｆが配置されている。
【００１４】
（下枠及び下框）
本実施形態の枠体１を構成する下枠１２は、アルミニウム合金等の金属材料からなり、図２に示すように、躯体開口部に固定される下枠本体部１２１と、下枠本体部１２１の室内側から内周方向に延設される中空の室内側立設部１２２を有している。
室内側立設部１２２の室外側面に加熱発泡材ｆ２がホルダーによって保持されており、加熱発泡材ｆ２の内周側（上側）に障子２の下框２２の室内側面に向かって気密材が配置されている。
なお、室内側立設部１２２の中空部の内部に加熱発泡材ｆが配置されていてもよい。
【００１５】
一方、障子２を構成する下框２２は、アルミニウム合金等の金属材料からなり、中空部を有する下框本体部２２１と、下框本体部２２１の室外側外周面から外周方向（下方）に延設された室外側壁部２２２を有しており、上框本体部２１１の内周側にガラス間口２２１ａが設けられている。
下枠１２の下枠本体部１２１の内周面と下框２２の下框本体部２２１の外周面はヒンジ５２によって連結されており、ヒンジ５２部分を軸に障子２を外倒しで開閉することができる。
なお、ガラス間口２２１ａ内には、加熱発泡材ｆが配置されている。
【００１６】
（竪枠及び竪框）
本実施形態の枠体１を構成する竪枠（枠材）１３（なお、竪枠及び竪框の構成は、左右でほぼ同じであるので、以下、竪枠及び竪框について左の竪枠１３及び左の竪框２３を用いて説明する。）は、アルミニウム合金等の金属材料からなり、図３に示すように、躯体開口部の内周に取付部材を介して固定される竪枠本体部１３１と、竪枠本体部１３１の室内側内周面から内周方向に延設される戸当り部（室内側壁部）１３２を有している。
【００１７】
竪枠１３の戸当り部１３２の室外側面に加熱により発泡する加熱発泡材ｆ３がホルダーによって保持されており、加熱発泡材ｆ３の内周側に障子２の竪框２３の室内側面に向かって気密材が配置されている。
そして、竪枠１３の竪枠本体部１３１の内周面から戸当り部１３２の室外側面にかけて、断面略Ｌ字状の遮へい板６が配置されており、戸当り部１３２に保持された加熱発泡材ｆ３の室外側面を覆っている。
【００１８】
一方、障子２を構成する竪框（框材）２３は、アルミニウム合金等の金属材料からなり、図３に示すように、中空部を備える竪框本体部２３１と、竪框本体部２３１の室外側外周端から外周方向に延設された室外側壁部２３２と、竪框本体部２３１の室外側内周端から内周方向に延設された室外側ガラス間口壁２３３と、竪框本体部２３１の室内側内周面に取り付けられる押縁２３４を有している。
室外側壁部２３２の外周端近傍部分には、竪枠１３の内周面に向かって気密材が配置されている。
【００１９】
そして、竪枠１３の内周面と竪框２３の外周面との間には、障子２の開閉動作を補助するダンパー８が配置されており、ダンパー８の下端が竪枠本体部１３１の内周面に固定され、ダンパー８の上端が竪框本体部２３１の外周面に固定されている。
【００２０】
以上のように、本実施形態の防火建具においては、上枠１１と上框２１の間の空間に対して、上枠１１の戸当り部１１２の室外側面に加熱発泡材ｆ１２を配置しているので、火災時に加熱発泡材ｆ１２が発泡して上枠１１と上框２１との間を塞いで室内外の連通を防止することができる。
同様に、下枠１２と下框２２の間の空間に対して下枠１２の室内側立設部１２２の室外側面に加熱発泡材ｆ２を配置しており、竪枠１３と竪框２３との間の空間に対して竪枠１３の戸当り部１３２の室外側面に加熱発泡材ｆ３を配置しているので、火災時には加熱発泡材ｆ２，ｆ３がそれぞれ発泡して下枠１２と下框２２の間及び竪枠１３と竪框２３の間を塞いで室内外の連通を防止することができる。
【００２１】
しかしながら、火炎の状況によっては、枠体や框の一部分が加熱等によって変形することがあり、特に、上枠１１や竪枠１３の戸当り部１１２，１３２のような板状の部分は、加熱やダンパー８のオイルに引火して爆発等するなどの原因によって大きく変形する可能性がある。
そのように大きく変形した部分に加熱発泡材が配置されている場合には、加熱発泡材が発泡しても枠体と障子との間を十分に塞ぐことができない危険性があった。
【００２２】
そこで、本実施形態の防火建具においては、枠体に配置された加熱発泡材と障子との間に遮へい板６を設けることで、枠体と障子との間を確実に閉塞するようにしている。
以下、本実施形態の防火建具の遮へい板６による閉鎖のための構成について、竪枠１３に配置された遮へい板６を参考にして説明する。
【００２３】
本実施形態の遮へい板６は、ステンレス等の金属材料からなり、図４に示すように、加熱発泡材を覆う遮へい部６１と、遮へい部６１の一辺が略直角に屈曲して連続する固定部６２を有しており、断面略Ｌ字状の長尺部材である。
遮へい板６の固定部６２は、長手方向の複数位置に竪枠１３に固定するため部位であり、ビス孔６２ａが形成されている。
【００２４】
そして、遮へい板６は、図３に示すように、固定部６２がビス等の固定手段によって竪枠１３の竪枠本体部１３１の内周面に固定されることによって、遮へい部６１によって竪枠１３の戸当り部１３２の室外側面に配置された加熱発泡材ｆ３を室外側から覆うことができる。
加熱発泡材ｆ３を室外側から覆った遮へい板６の遮へい部６１の反戸先側端部は、障子２の竪框２３の室内側面に対向する位置まで達する幅寸法を有している。
【００２５】
また、本実施形態においては、遮へい板６の長手方向の寸法は、図５に示すように、加熱発泡材ｆ３の長手方向の全てを覆う長さを有するものではなく、竪枠１３と竪框２３の間に配置されるダンパー８の下方位置の領域において加熱発泡材ｆ３をカバーする程度の長さ寸法を有している。
【００２６】
この状態で火災が発生して、ダンパー８のオイルに引火するなどして爆発が起こった場合などには、図６（ａ）に示すように、竪枠１３の戸当り部１３２及が変形する場合がある。また、戸当り部１３２と一緒に遮へい板６が変形することも考えられる。
そのような場合であっても、火災時の熱により加熱発泡材ｆ３が発泡することによって、図６（ｂ）に示すように、遮へい板６の遮へい部６１が戸当り部１３２側から押圧され、押圧された遮へい板６の遮へい部６１が障子２の方向に変形して竪框２３の室内側面に押し付けられて、竪枠１３と竪框２３との間を閉塞することができる。
【００２７】
このとき、竪枠１３の戸当り部１３２の一部に大きな変形が生じて加熱発泡材ｆ３によっては閉塞できない隙間が生じている場合であっても、戸当り部１３２の一部以外の部分に配置された加熱発泡材ｆ３によって遮へい板６の遮へい部６１全体が竪框２３に向かって押圧されることで、遮へい板６の遮へい部６１が一様に竪框２３に押し付けられ、竪枠１３と竪框２３との間を広く閉塞することができる。
【００２８】
−第２の実施形態−
（上枠及び上框）
本実施形態の枠体１を構成する上枠１１は、アルミニウム合金等の金属材料からなり、図７に示すように、躯体開口部に取り付けられる上枠本体部１１１と、上枠本体部１１１の室内側内周面より内周方向（下方）に延設される戸当り部（室内側壁部）１１２を有している。
上枠本体部１１１の室外側内周面（下面）には、障子２の上框の室外側上端に向かって気密材が配置されている。なお、上枠本体部１１１の室外側内周面（下面）に、加熱発泡材を設けても良い。
【００２９】
また、戸当り部１１２の室外側面に加熱により発泡する加熱発泡材ｆ１２がホルダーによって保持されており、加熱発泡材ｆ１２の内周側（下側）に障子２の上框の室内側面に向かって気密材が配置されている。
【００３０】
一方、障子２を構成する上框２１は、アルミニウム合金等の金属材料からなり、中空部を有する上框本体部２１１と、上框本体部２１１の室外側外周面から外周方向に延設された室外側壁部２１２を有しており、上框本体部２１１の内周側にガラス間口２１１ａが設けられている。
上枠１１の戸当り部１１２の室内側面と上框２１の上框本体部２１１の室内側面には、障子２の開閉動作を行う開閉機構５１が配置されており、リモコン等によって障子２の開閉動作を行うようことができる。なお、開閉機構５１は、なくてもよい。
上框２１のガラス間口２１１ａ内には、加熱発泡材ｆが配置されている。
【００３１】
（下枠及び下框）
本実施形態の枠体１を構成する下枠１２及び下框２２の構成は、第１の実施形態と同様であるので、ここでは説明を省略する。
【００３２】
（竪枠及び竪框）
本実施形態の枠体１を構成する竪枠（枠材）１３及び竪框２３の構成は、図８に示すように、第１の実施形態の竪枠（枠材）１３及び竪框２３に対して、竪枠１３の室外側内周面に加熱発泡材ｆ３２がホルダーによって保持されている点で異なっている。
【００３３】
本実施形態の防火建具によれば、火災時に、竪枠１３の内周面に竪框２３の外周面に向けて設けた加熱発泡材ｆ３２が竪枠１３と竪框２３との間に充満することで、防火性能をさらに高めることができる。
【００３４】
竪枠１３の室外側内周面に配置される加熱発泡材ｆ３２は、竪枠１３の長手方向の全長にわたって設けられるものではなく、竪枠１３と竪框２３の間に配置されるダンパー８の下方位置の領域には設けられていない。
そのため、火災時に加熱発泡材ｆ３２が発泡してもダンパー８の下方位置の領域に加熱発泡材ｆ３２が充満することを防ぎ、ダンパー８から漏れ出すオイル等の可燃物を速やかに排出してオイル等に引火することを抑制することができる。
【００３５】
なお、本実施形態の防火建具は、竪枠（枠材）１３の室外側内周面に加熱発泡材ｆ３２を設け、該加熱発泡材ｆ３２を竪枠１３と竪框２３の間に配置されるダンパー８の下方位置の領域に設けないことで加熱発泡材ｆ３２がダンパー８の下方位置の領域への浸入することを抑制しているが、竪枠１３の長手方向下方位置にまで加熱発泡材ｆ３２を配置した場合には、加熱発泡材ｆ３２の該ダンパー８の下方位置の領域部分を遮へい板で塞ぐことで、加熱発泡材ｆ３２がダンパー８の下方位置の領域へ浸入することを防止してもよい。
【００３６】
例えば、図９（ａ）（ｂ）（ｃ）に示すように、竪枠１３の戸当り部１３２に設けた加熱発泡材ｆ３のダンパー８の下方位置の領域部分を覆う遮へい板６について、固定部６２の反遮へい部側を竪枠１３の室外側内周面に至るまで延長して第２の遮へい部６３を形成し、該第２の遮へい部６３によって竪枠１３の内周面に設けた加熱発泡材ｆ３２を覆うようにしてもよい。
【００３７】
第２の遮へい部６３によって、火災時に加熱発泡材ｆ３２が発泡してダンパー８の下方位置の領域に充満することを防ぎ、ダンパー８から漏れ出すオイル等の可燃物を速やかに排出することができ、オイル等に引火することを抑制することができる。
【００３８】
なお、以上の実施形態は，請求項に記載された発明を限定するものではなく，例示として取り扱われることは言うまでもない。
例えば、各実施形態においては、枠体もしくは框体に取り付けられる加熱発泡材は、枠体もしくは框体に形成されたホルダーによって保持されているが、加熱発泡材の配置は、ホルダーによるものに限らず、例えば両面テープや接着によって固定されていてもよいし、ネジ等によって固定してもよい。
【００３９】
また、遮へい板が設けられる部位は、竪枠に限定されない。例えば、図１０に示すように、遮へい板６を横枠（下枠）に配置してもよい。
例えば、図１０に示す遮へい板６は、下枠本体部１２１の内周面に固定される固定部６２と、固定部６２の室内側端から立ち上がる遮へい部６１を有する断面略Ｌ字状の長尺部材からなり、固定部６２が下枠本体部１２１の内周面に固定されることで、遮へい部６１は下枠の室内側立設部１２２の室外側面に配置された加熱発泡材ｆ２を覆うとともに、下框２２の室内側面に対向している。
本例においては、火災時に加熱発泡材ｆ２が発泡することで、遮へい板６が変形して障子２の下框２２に室内側に当接し、室内外の連通を防止することができる。
【００４０】
また、遮へい板を障子の框材に固定して、火災時に枠材に当接するように配置してもよい。
さらに、遮へい板の断面形状は、略Ｌ字形に限らない。例えば、遮へい板は、平板でもよく、その一側が枠体もしくは框材に固定され、固定されている以外の部位と枠材もしくは框材との間に加熱発泡材が配置されていてもよい。
【００４１】
また、遮へい板の材料は、ステンレスに限らない。例えば、アルミニウム合金や鋼材等の金属材料でもよく、熱等によって容易に溶融するものではなく、加熱発泡材の発泡によって変形が可能な部材であれば特に限定されるものではない。
さらに、遮へい板の長さについても特に限定されるものではない。即ち、枠材しくは框材の長手方向全長に亘る長さ寸法を有していても良いし、本実施形態の遮へい板のように、枠体もしくは框材の一部分の長さ寸法を有するものであってもよい。
また、遮へい板の固定は、ネジ等の固定手段によるものに限定されない。
【００４２】
さらに、防火建具は、アルミニウム合金等の枠体及び框体によるサッシに限定されず、例えば樹脂サッシであってもよい。なお、樹脂サッシ等の場合には、樹脂部分が溶けた際に遮へい板６が対向する金属部分が存在すればよく、加熱発泡材によって押し付けられて変形した遮へい板６が当接する金属製の補強部材等が樹脂部材内に配置されていればよい。
また、窓種についても、外倒し窓に限定されるものではなく、遮へい板が設けられる場所も、枠体の竪枠及び横枠、障子の竪框及び横框のいずれでもよい。
【符号の説明】
【００４３】
１        ：枠体
２        ：障子
６        ：遮へい板
６１      ：遮へい部（非固定部、対向部）
６２      ：固定部（固定部）
１３      ：竪枠（枠材）
２３      ：竪框（框材）
ｆ３      ：加熱発泡材
【図１】
2020063652.tif 000003
【図２】
2020063652.tif 000004
【図３】
2020063652.tif 000005
【図４】
2020063652.tif 000006
【図５】
2020063652.tif 000007
【図６】
2020063652.tif 000008
【図７】
2020063652.tif 000009
【図８】
2020063652.tif 000010
【図９】
2020063652.tif 000011
【図１０】
2020063652.tif 000012